(57)【特許請求の範囲】
【請求項１】
織機に配設される複数の綜絖枠を上下に移動させるために、前記綜絖枠に連結されるレバー組を備える織機の開口装置であって、
前記レバー組の各レバーを軸支する少なくとも１つの軸体が、前記軸体上に配置される複数のレバー間に形成される溝を備えるとともに、前記溝にはレバー位置決め部材が係合され、
前記溝の中心位置が、前記軸体の中心位置に対して、前記軸体の受ける荷重の引っ張り側に向かって、偏心されるように形成されることを特徴とする織機の開口装置。
【請求項２】
偏心される前記溝の中心位置が、前記軸体の受ける荷重の引っ張り側には、溝が形成されないように位置されることを特徴とする請求項１記載の織機の開口装置。
【請求項３】
前記軸体が、ドビー機の指令部からの指令を受けて揺動され、綜絖枠に連結されるフックと選択的に係合可能なフックレバーの軸であることを特徴とする請求項１記載の織機の開口装置。
【請求項４】
前記軸体が、綜絖枠に連結され、カム機のカムの形状に従って揺動可能な開口レバーの軸であることを特徴とする請求項１記載の織機の開口装置。
【発明の詳細な説明】
【０００１】
【発明の属する技術分野】
この発明は、織機の開口装置に関し、さらに詳しくは、織機の綜絖枠に連結されるレバーを軸支する軸体の改良に関する。
【０００２】
【従来の技術】
従来、ドビー機あるいはカム機においては、並設される複数の綜絖枠を上下移動するために、それぞれの綜絖枠に対応するように複数のレバー組が機枠内で軸に支持されように配設されている。並設される綜絖枠間のピッチが、通常１２ｍｍ位の僅かな寸法であるために、各レバー組のピッチもほぼ同様のピッチで配設されている。そのため、織機の回転が高速になると、隣接されるレバーの間で摩耗が発生しやすくなる。この課題を解決するために、従来より、レバー間の摩耗の発生を防止するための各種の改良がなされていた。
【０００３】
例えば、図６に示されるような開口装置Ｍ２では、隣接するフックレバー２１を分離するために、環状間隔部材２２がそれぞれのフックレバー２１間に配設されている。環状間隔部材２２はフックレバー２１の軸２３と共通するように支持されるとともに、環状間隔部材２２の先端部が機枠に固定されるロッド２４に嵌合されているため、回転方向には規制されている。そして、環状間隔部材２２に形成された複数個のボス２２ａによって、少なくとも１つの隣接する環状間隔部材２２どうしと接触するように構成されていた。
【０００４】
また、図７に示される開口装置Ｍ３のフックレバー３１の軸３２には、フックレバー３１間に軸用止め輪３３が配設され、軸用止め輪３３が係合されるように、軸３２に、軸３２と同心の溝３４が形成されていた。
【０００５】
さらに、図８に示される開口装置Ｍ４のフックレバー４１の軸４２には、僅かな隙間を有して鍔付きリング状に形成された鍔付きブッシュ４３がフックレバー４１間に配設されるように構成されていた。
【０００６】
【発明が解決しようとする課題】
しかし、図６に示される開口装置Ｍ２では、環状間隔部材２２を新たに製作しなければならないのでコストが高くなるとともに、環状間隔部材２２は厚みをある程度大きくしなければならないのでフックレバー２１の厚みがその分、縮小され、綜絖枠Ｈを牽引する負荷に対して強度的に不利になる。
【０００７】
また、図７に示される開口装置Ｍ３の軸の場合は、全周にわたって軸用止め輪３３が係合される溝３４が形成されているため、集中応力が生じやすく、綜絖枠Ｈを牽引する負荷に対して強度的に不利になる。
【０００８】
さらに、図８に示される開口装置Ｍ４では、軸４２には溝が形成されていないため、強度的には有利であるが、フックレバー４１の揺動運動を妨げることなく鍔付きブッシュ４３を配設するために、軸４２の径を細くしなければならず強度的に不利になるとともに、鍔付きブッシュ４３の製作コストがかかる。
【０００９】
この発明は、上述の課題を解決するものであり、コストを高くすることなく綜絖枠を牽引する負荷に対して強度を増大し、安定した各レバーの運動を可能にできる織機の開口装置を提供することを目的とする。
【００１０】
【課題を解決するための手段】
この発明にかかわる織機の開口装置では、上記の課題を解決するために以下のような構成をするものである。すなわち、
織機に配設される複数の綜絖枠を上下に移動させるために、前記綜絖枠に連結されるレバー組を備える織機の開口装置であって、
前記レバー組の各レバーを軸支する少なくとも１つの軸体が、前記軸体上に配置される複数のレバー間に形成される溝を備えるとともに、前記溝にはレバー位置決め部材が係合され、
前記溝の中心位置が、前記軸体の中心位置に対して、前記軸体の受ける荷重の引っ張り側に向かって、偏心されるように形成されることを特徴とするものである。
【００１１】
また、偏心される前記溝の中心位置が、前記軸体の受ける荷重の引っ張り側には、溝が形成されないように位置されることを特徴とするものであれば良い。
【００１２】
また好ましくは、前記軸体が、ドビー機の指令部からの指令を受けて揺動され、綜絖枠に連結されるフックと選択的に係合可能なフックレバーの軸であることを特徴とするものであれば良い。
【００１３】
さらに、前記軸体が、綜絖枠に連結され、カム機のカムの形状に従って揺動可能な開口レバーの軸であることを特徴とするものであってもよい。
【００１４】
【発明の実施の形態】
以下、個の発明の一実施の形態を図面に基づいて説明する。
【００１５】
図１は、周知のドビー機Ｍの主要部を示す図であり、綜絖枠Ｈを牽引駆動するために、綜絖枠Ｈに連結されているフック１と、フック１に対して接近離隔するように周期的に揺動運動するナイフフック（フックレバー）２とが配設されている。ナイフフック２は、カードシリンダ３による指令レバー４の選択的な回動によりフック１と係合可能に構成されている。そして、ナイフフック２がフック１と係合されると綜絖枠は上方に牽引される。
【００１６】
ナイフフック２を回動可能に軸支する軸５は、図２に示されるように、丸棒状で軸方向に長尺状に形成されている。軸５に綜絖枠Ｈに対応する数（本形態においては１６個）のナイフフック２が軸５に回動可能に嵌合され、それぞれのナイフフック２間に、図３に示されるように、軸５の中心Ｏに対して、軸５の一方の側には軸５の外周面が残るように、偏心する位置Ｏ１  を中心とする溝６が形成されている。溝６にはレバー位置決め部材としての軸用止め輪７が係合され、溝６が形成されない側（Ａ部）が、軸５にかかる荷重に対して引っ張り側になるようにナイフフック２が嵌合される。従って、図４に示されるように、ナイフフック２のフック１との係合部２ａは、綜絖枠Ｈを牽引するために軸５を綜絖枠Ｈ側に撓ませようとするため、軸５の引っ張り側（伸び側）、つまり軸５のＡ側に配置されることになる。
【００１７】
次に、上記のように構成されたドビー機Ｍの作用について、図１に従って説明する。
【００１８】
カードシリンダ３は織機の駆動により連続的に回転されている。カードシリンダ３に植設される釘８が下側の指令レバー４のカム部４ａを押圧すると、固定軸９を中心に周期的に揺動運動している下側のナイフフック２の係合部２ａが下側のフック１の係合部１ａと係合する位置に、軸５を中心に反時計方向に所定角度回転する。係合されていない上側のフック１はストッパ１０に支持されているため、係合された下側のフック１は、下側のナイフフック２とともに右方向に移動され、上下のフック１を連結する縦レバー１１に図示しない開口レバーを介して連結される綜絖枠Ｈを上方に移動させる。
【００１９】
この時の綜絖枠Ｈに掛かる負荷は、織物の種類によっても異なるが綜絖枠Ｈによって移動される縦糸の張力と、綜絖枠Ｈに付勢されるばねの付勢力（消極式ドビー機の場合）であり、その荷重はナイフフック２を軸支する軸５を綜絖枠Ｈ側に撓ませるように軸５にかかる。しかし、軸５の圧縮側に溝が形成され、軸５の引っ張り側（伸び側）に溝の形成されてないため、溝６には応力集中が発生しにくく、その荷重による負荷を十分に吸収することができる。
【００２０】
図５は、タペットカムにより綜絖枠Ｈを牽引するカム機Ｍ１に上述の軸５を使用する形態を示すものである。
【００２１】
綜絖枠Ｈにロープ等を介して連結される開口レバー１５は、軸５を中心に揺動可能に配設されている。開口レバー１５の下端部にはカムローラ１６が回転可能に配設され、カムローラ１６に当接するように、軸１７を中心に回転可能に軸支されるタペットカム１８が配設されている。
【００２２】
そして、タペットカム１８が軸１７を中心に回転すると、カムローラ１６を配設している開口レバー１５は軸５を中心に揺動運動し、ロープを介して連結される綜絖枠Ｈが上下移動を行なう。
【００２３】
この時、綜絖枠Ｈを牽引する荷重は、図５中、軸５をＢ方向に撓ませようとするため、軸５に形成される溝６の偏心中心位置Ｏ１  は、軸５の中心位置Ｏより軸５の引っ張り側（伸び側）、つまり略左上側に位置される。従って、溝の形成されない側（Ａ部）も略左上側に位置されることになる。
【００２４】
なお、軸５には、複数枚の開口レバー１５間に形成される溝６に、軸用止め輪７が係合されていることは前述のドビー機Ｍの場合と同様である。
【００２５】
なお、上述の軸５は、本形態においては、ドビー機Ｍのナイフフック２を軸支する軸、及び、カム機Ｍ１の開口レバー１５を軸支する軸に使用するものであるが、これに限られるものではなく、荷重の掛かる軸には全て応用できるものである。
【００２６】
また、本形態では、レバー位置決め部材として軸用止め輪が使用されているが、溝６に係合できるものであれば、例えば、Ｃ型止め輪、Ｅ型止め輪等、同等なものであればいずれでもよい。
【００２７】
【発明の効果】
上述のように、本発明によれば、織機の開口装置は、
織機に配設される複数の綜絖枠を上下に移動させるために、前記綜絖枠に連結されるレバー組を備えて構成されている。そして、前記レバー組の各レバーを軸支する少なくとも１つの軸体が、前記軸体上に配置される複数のレバー間に形成される溝を備え、前記溝が、前記軸体の中心に対して、前記軸体の受ける荷重の引っ張り側に向かって、前記溝の中心位置が形成されるように偏心されるているため、綜絖枠の上下移動の際に掛かる荷重に対して、前記軸に応力集中が発生しにくく軸の強度を十分に保つことができる。そのため、安定した織機の開口運動が可能となる。さらに、複雑な構造にならないのでコストも廉価になる。
【図面の簡単な説明】
【図１】本発明の一実施の形態によるドビー機の主要部を示す図
【図２】図１のドビー機に使用される軸部の正面断面図
【図３】図２における軸の側面断面図
【図４】軸の溝部とナイフフックの位置関係を示す図
【図５】本発明の一実施の形態によるカム機の主要部を示す図
【図６】従来の開口装置の軸部の構成を示す図
【図７】従来の開口装置の軸部の別の構成を示す図
【図８】従来の開口装置の軸部の別の構成を示す図
【符号の説明】
２…ナイフフック（レバー）
５…軸（軸体）
６…溝
７…軸用止め輪（レバー位置決め部材）
Ｏ…軸の中心
Ｏ１  …溝の中心
Ｈ…綜絖枠
Ｍ…ドビー機（開口装置）
Ｍ１…カム機（開口装置）
【図１】
0003629626.tif 000002
【図２】
0003629626.tif 000003
【図３】
0003629626.tif 000004
【図４】
0003629626.tif 000005
【図５】
0003629626.tif 000006
【図６】
0003629626.tif 000007
【図７】
0003629626.tif 000008
【図８】
0003629626.tif 000009